(57)【要約】【課題】二重回線における制御コマンドを二重回線によって送信する場合、回線切替器等を必要とすることなく、二重回線による制御コマンド送信を行なえるようにし、コストを抑える。【解決手段】送信側の制御装置から第１の制御回線および第２の制御回線を介して受信側の被制御装置へ識別番号を有する制御コマンドを伝送し、その識別信号は、少なくとも、送信順序が近接する制御コマンド間での識別が行えて、被制御装置では、受信された制御コマンドの識別番号どうしを、それぞれ異なる回線からの識別番号に対して比較し、その結果、同じ識別番号の制御コマンドどうしについては、その制御コマンドのうち一方を用いてその制御コマンドに応じた処理を行い、他方については同様な処理は行わないとする。【選択図】  図１
2004297160.tif 000002
【特許請求の範囲】
【請求項１】
送信側の制御装置から第１の制御回線および第２の制御回線を介して受信側の被制御装置へ制御コマンドを伝送し、
前記伝送される制御コマンドは識別番号を有し、
前記識別信号は、少なくとも、送信順序が近接する制御コマンド間での識別が行える番号であり、
前記被制御装置は、受信された制御コマンドの識別番号どうしを、それぞれ異なる回線からの識別番号に対して比較し、
前記比較の結果、同じ識別番号の制御コマンドどうしについては、その制御コマンドのうち一方を用いてその制御コマンドに応じた処理を行い、他方については同様な処理は行わないとすることを特徴とする遠隔制御方法。
【発明の詳細な説明】
【０００１】
【発明の属する技術分野】
本発明は、伝送システム、例えば、ＦＰＵ受信基地局用の遠隔監視制御装置における二重回線を使用した制御コマンド（シリアルデータ）送受信方法に関する。
【０００２】
【従来の技術】
図３は、制御回線を二重にした場合の、従来の技術による遠隔制御方法を用いた伝送システムのブロック構成例を示す図である。
【０００３】
この図において、２１は制御装置、２３は回線切替器であり、これらが送信側の送置を構成する。１０は２つの制御回線からなる二重回線の内の一方の現用回線で、１１は他方の予備回線である。２４は回線切替器、２２は被制御装置であり、これらが受信側の装置を構成する。
【０００４】
制御装置２１には制御コマンド送信部３’を備え、この制御コマンド送信部３’から出力される制御コマンド（シリアルデータ）が、回線切替器２３へ入力され、上述の現用回線１０と予備回線１１のどちらか一方を選択し、その選択した方の回線を介して、入力された制御コマンドを出力する。
【０００５】
受信側の回線切替器２４は、回線切替器２３の選択動作に応じて、制御コマンドが送信された方の回線を選択するようにする。例えば、回線切替器２３が現用回線１０を介して制御コマンドを送信した場合は、その現用回線１０を選択して、選択された現用回線１０から入力した制御コマンドを出力する。
【０００６】
そして、回線切替器２４から出力された制御コマンドは、被制御装置２２の制御コマンド処理部４’に入力され、入力された制御コマンドによって、それに応じた処理を行う。
【０００７】
すなわち、従来、ＦＰＵ受信基地局遠隔監視制御装置等で、遠隔地に対する制御コマンドの送信は、送信側から二重回線のうちどちらか一方の回線を使用して送信し、また、受信側も二重回線のうちどちらか一方の回線から制御コマンドを受信するようにしている。
【０００８】
【発明が解決しようとする課題】
上記のように、従来技術の二重回線における制御コマンドの送信では、回線切替器等の機器を用いることが必要となり、その装置の更新の場合には、既設の機器を使用せざるを得ない場合があり、装置の追加機能に制限が生じることもある。また、既存の機器を使用するにあたり、インタフェース設計が複雑となる恐れがある。更に、装置の更新時、回線切替器等の機器を新しいものに置き換えた場合、そのためのコストが余計にかかる。
【０００９】
本発明は、このような問題点を解決するために為されたものであり、本発明の第一の目的は、回線切替器等のハードウェア機器によらない、二重回線による制御コマンド（シリアルデータ）送信を行なうことである。また、本発明の第二の目的は、回線切替器等のハードウェアの制作費を削減し、コストを抑えることである。
【００１０】
【課題を解決するための手段】
本発明は、上述の課題を解決するために、送信側の制御装置から第１の制御回線（例えば、現用回線）および第２の制御回線（例えば、予備回線）を介して受信側の被制御装置へ制御コマンドを伝送し、前記伝送される制御コマンドは識別番号を有し、前記識別信号は、少なくとも、送信順序が近接する制御コマンド間での識別が行える番号であり、前記被制御装置は、受信された制御コマンドの識別番号どうしを、それぞれ異なる回線からの識別番号に対して比較し、前記比較の結果、同じ識別番号の制御コマンドどうしについては、その制御コマンドのうち一方を用いてその制御コマンドに応じた処理を行い、他方については同様な処理は行わないとするものである。
【００１１】
【発明の実施の形態】
図１は制御回線を二重にした場合の、本発明による遠隔制御方法を用いた伝送システムのブロック構成例を示す図である。この図において、送信側の装置としては、制御装置１をそなえ、また、受信側の装置としては、被制御装置２を備える。現用回線１０および予備回線１１は、二重回線を構成している。
【００１２】
制御装置１には制御コマンド送信部３を備え、この制御コマンド送信部３から、所定の識別番号を付加した制御コマンド（シリアルデータ）が出力される。この識別番号付の制御コマンドは、二重回線の双方の回線、すなわち、現用回線１０と予備回線１１の両方を介して送信される。
【００１３】
この識別番号としては、例えば、送信される制御信号ごとに、値を１づつ増やすようにした、番号データによる識別番号としても良く、少なくとも、送信順序が近接する制御コマンド間での識別が行えるようなものであればよい。
【００１４】
一方、受信側では、二重回線の両回線を介して送信された両方の識別番号付の制御コマンドが、共に被制御装置２の制御コマンド処理部４に入力される。
【００１５】
制御コマンド処理部４では、これら受信された制御コマンドの識別番号どうしを、それぞれ異なる回線からの識別番号に対して比較し、その比較の結果、同じ識別番号の制御コマンドどうしについては、その制御コマンドのうち一方を用いてその制御コマンドに応じた処理を行い、他方については同様な処理は行わないとする。そうすることで、同じ内容の制御コマンドが、２つ受信されたとしても、その内容について、受信が複数であるにもかかわらず、１回の処理だけ行うようにすることができる。
【００１６】
なお、両方の回線から別々に受信される同じ識別番号を有する制御コマンドが、同時には受信されず、受信時刻がずれる場合も考えられるので、受信された制御コマンドの識別番号は、受信回線ごとに所定の期間記録され、その間は上述の比較に用いられることとしても良い。
【００１７】
【発明の効果】
以上説明したように、本発明によれば、回線切替器を使用することなく、二重回線の両回線それぞれを介して、制御コマンドを送信し、計２回に渡り同じ内容の制御コマンドが送信されたとしても、その制御コマンドに応じた制御処理が、不必要な制御となることなく、所望の制御動作となされるようにすることができる。
【００１８】
従って、２回線の内の一方に障害、例えば、回線断やノイズ重畳等が起こったとしても、その障害に悪影響を及ぼされることなく、制御コマンドを適正に送受信することが可能となる。
【図面の簡単な説明】
【図１】本発明による遠隔制御方法を用いた伝送システムのブロック構成例を示す図。
【図２】本発明に関わる制御コマンドのデータ形式の一例を模式的に表した図。
【図３】従来の技術による遠隔制御方法を用いた伝送システムのブロック構成例を示す図。
【図４】従来の技術における制御コマンドのデータ形式例を模式的に表した図。
【符号の説明】
１，２１：制御装置、  ２，２２：被制御装置、  ３，３’：制御コマンド送信部、  ４，４’：制御コマンド処理部、  １０：現用回線、  １１：予備回線、  ２３，２４：回線切替器。
【図１】
2004297160.tif 000003
【図２】
2004297160.tif 000004
【図３】
2004297160.tif 000005
【図４】
2004297160.tif 000006